【手続補正書】
【提出日】平成20年10月20日(2008.10.20)
【手続補正１】
【補正対象書類名】特許請求の範囲
【補正対象項目名】全文
【補正方法】変更
【補正の内容】
【特許請求の範囲】
【請求項１】
中実又は非中実コアと、接触して又は接触せずに球形コアに保持される複数の片との間に磁気相互作用を有する種類の三次元パズル又はパズル又は表示プラットフォームであって、
前記複数の片が、実質的にモザイク状の表面を集合して提供する２つの種類の物から構成され、
一方の種類の片が、前記コアに向かって見たときに少なくとも概念的に方形であり、且つ第２の種類の片が、前記コアに向かって見たときに少なくとも概念的に三角形であり、
各片の弦長さ、すなわち各少なくとも概念的に方形の片の４つの弦及び各少なくとも概念的に三角形の片の３つの弦が、実質的に等しい三次元パズル又はパズル又は表示プラットフォーム。
【請求項２】
前記モザイク状の表面の前記領域を画定する各３つのデカルト軸上に、境界の少なくとも２つの平行面を有する請求項１に記載の三次元パズル又はパズル又は表示プラットフォーム。
【請求項３】
前記パズル又はプラットフォームが、前記片の帯が、概念的な球形中心を中心に回転されることができ、
前記パズル又はパズル又はプラットフォームは、前記片のキャップが、前記帯に対して概念的な球形中心を中心に回転されることができる請求項１又は２に記載の三次元パズル又はパズル又は表示プラットフォーム。
【請求項４】
各片が、少なくとも１つ以上の他の片で割出しをする請求項１から３までのいずれか一項に記載の三次元球形パズル又はパズル又は表示プラットフォーム。
【請求項５】
各前記方形片が、４つの他の片で割出しをし、各前記三角形片が、３つの他の片で割出しをする請求項１から４までのいずれか一項に記載の三次元球形パズル又はパズル又は表示プラットフォーム。
【請求項６】
前記片が、前記コアの周りで対称に配置される請求項１から５までのいずれか一項に記載の三次元球形パズル又はパズル又は表示プラットフォーム。
【請求項７】
各前記片が、
ａ）外部表面と、
ｂ）スペーサ及びコネクタ要素を備えるコネクタとを備える請求項１から６までのいずれか一項に記載の三次元球形パズル又はパズル又は表示プラットフォーム。
【請求項８】
前記外部表面が、前記コネクタの遠位端に配置され、前記コネクタ要素が、前記コネクタの近位端に配置される請求項７に記載の三次元球形パズル又はパズル又は表示プラットフォーム。
【請求項９】
前記コネクタの前記近位領域が、接触して又は接触せずに前記コアに保持される請求項８に記載の三次元球形パズル又はパズル又は表示プラットフォーム。
【請求項１０】
前記コネクタが、一体に成形される請求項７から９までのいずれか一項に記載の三次元球形パズル又はパズル又は表示プラットフォーム。
【請求項１１】
前記片が、一体に成形される請求項１から１０までのいずれか一項に記載の三次元球形パズル又はパズル又は表示プラットフォーム。
【請求項１２】
２６個の片を備える請求項１から１１までのいずれか一項に記載の三次元球形パズル又はパズル又は表示プラットフォーム。
【請求項１３】
前記三角形片を８個、前記方形片を１８個備える請求項１２に記載の三次元球形パズル又はパズル又は表示プラットフォーム。
【請求項１４】
前記方形片が、前記コアの周りに対称に配置された各前記３つのデカルト軸の赤道を中心に帯として配置される請求項１３に記載の三次元球形パズル又はパズル又は表示プラットフォーム。
【請求項１５】
５４個の遊戯片を備える請求項１から１１までのいずれか一項に記載の三次元球形パズル又はパズル又は表示プラットフォーム。
【請求項１６】
３０個の方形片及び２４個の三角形片を備える請求項１５に記載の三次元球形パズル又はパズル又は表示プラットフォーム。
【請求項１７】
前記方形片が、前記コアの周りに対称に配置された各前記３つのデカルト軸に沿った２つの帯で前記コアを中心に配置される請求項１６に記載の三次元球形パズル又はパズル又は表示プラットフォーム。
【請求項１８】
６２個の遊戯片を備える請求項１から１１までのいずれか一項に記載の三次元球形パズル又はパズル又は表示プラットフォーム。
【請求項１９】
３０個の方形片及び３２個の三角形片を備える請求項１５に記載の三次元球形パズル又はパズル又は表示プラットフォーム。
【請求項２０】
前記方形片が、前記コアの周りに対称に配置された各前記３つのデカルト軸に沿った３つの隣接する帯で前記コアを中心に配置される請求項１６に記載の三次元球形パズル又はパズル又は表示プラットフォーム。
【請求項２１】
前記片が、前記コアを中心に回転可能である請求項１から２０までのいずれか一項に記載の三次元球形パズル又はパズル又は表示プラットフォーム。
【請求項２２】
前記三次元球形パズル又はパズル又は表示プラットフォームが、前記片が前記コアを中心に回転されるときにフィードバックを提供する請求項２１に記載の三次元球形パズル又はパズル又は表示プラットフォーム。
【請求項２３】
前記移動の間のフィードバックが、
ａ）割出された位置を越える移動の感覚
ｂ）正しい遊戯位置への割出しをする感覚
の少なくとも１つ以上の結果を提供する請求項２２に記載の三次元球形パズル又はパズル又は表示プラットフォーム。
【請求項２４】
前記フィードバックを提供する前記機構が、ラチェット機構又は割出しをする機構によって提供される請求項２２又は２３に記載の三次元球形パズル又はパズル又は表示プラットフォーム。
【請求項２５】
前記外部表面が、変化、へこみ、突出部、輪郭、マーキングなどを有する請求項１から２４までのいずれか一項に記載の三次元球形パズル又はパズル又は表示プラットフォーム。
【請求項２６】
前記三角形片が、４つ以上の三角形片に再分割される請求項１から２５までのいずれか一項に記載の三次元球形パズル又はパズル又は表示プラットフォーム。
【請求項２７】
隣接する前記片の間の相互作用、
前記片と前記コアとの間の相互作用、又は
隣接する前記片の間且つ前記片と前記コアとの間の相互作用の
うちの１つ以上を介する磁気相互作用が存在する請求項１から２６までのいずれか一項に記載の三次元球形パズル又はパズル又は表示プラットフォーム。
【請求項２８】
前記コネクタ要素が、磁石又は鉄を含む金属である請求項７から２７までのいずれか一項に記載の三次元球形パズル又はパズル又は表示プラットフォーム。
【請求項２９】
前記コアが、鉄を含む金属、鋼球、又は中空鋼球である、或いは鉄を含む金属、鋼球、又は中空鋼球を含む請求項１から２８までのいずれか一項に記載の三次元球形パズル又はパズル又は表示プラットフォーム。
【請求項３０】
前記コアが、磁性である請求項１から２９までのいずれか一項に記載の三次元球形パズル又はパズル又は表示プラットフォーム。
【請求項３１】
各片が、（Ａ）コアを囲む片の径方向に見て、片が接触する領域の最大長さを有し、その最大長さは、該接触する領域から前記片の重心近位材料への（Ｂ）その深さに等しい又はより長い請求項１から３０までのいずれか一項に記載の三次元球形パズル又はパズル又は表示プラットフォーム。
【請求項３２】
少なくとも１つの浮揚デバイスを備え、前記デバイス又は各デバイスが、支持体に支持され及び／又は離れるとき浮揚可能である請求項１から３１までのいずれか一項に記載の三次元球形パズル又はパズル又は表示プラットフォーム。
【請求項３３】
前記浮揚デバイスが、
１．前記三次元パズル又は表示プラットフォームの上方及び下方に配置された少なくとも２つのスタンド、
２．前記三次元パズル又は表示プラットフォームの上方に配置され、且つ磁気吸引力を使用して前記三次元パズル又は表示プラットフォームの浮揚を生じさせる１つのスタンド、又は
３．前記三次元パズル又は表示プラットフォームの下方に配置され、且つ磁気反発力を使用して前記三次元パズル又は表示プラットフォームの浮揚を生じさせる１つのスタンドのいずれか１つを備える請求項３２に記載の三次元球形パズル又はパズル又は表示プラットフォーム。
【請求項３４】
前記浮揚デバイスが、皿形状であり、前記皿形状の角が、前記皿形状の中央部分に対して隆起している請求項２１から３３までのいずれか一項に記載の三次元球形パズル又はパズル又は表示プラットフォーム。
【請求項３５】
前記磁石が、各角部分に配置され、少なくとも１つ以上の磁石が、前記皿に対して中央に配置される請求項２１から３４までのいずれか一項に記載の三次元球形パズル又はパズル又は表示プラットフォーム。
【請求項３６】
請求項１から３５までのいずれか一項に記載の三次元球形パズル又はパズル又は表示プラットフォームの使用。
【請求項３７】
請求項１から３５までのいずれか一項に記載の三次元球形パズル又はパズル又は表示プラットフォームを製造する方法。
【請求項３８】
任意の１つ以上の添付された図面を参照して又は参照しない実質的に本明細書に記載された三次元球形パズル又はパズル又は表示プラットフォーム。